(57)【要約】      （修正有）【課題】中間転写ベルトの各静電潜像担持体への押圧力及びニップが静電潜像担持体毎に異なるようになるのを防止することにある。【解決手段】複数の感光体ドラム２１に担持される画像を用紙に転写するための転写装置７であって、複数のローラ対は、複数の感光体ドラム２１のそれぞれに対応して設けられ、それぞれが、中間転写ベルト７１を挟んで感光体ドラム２１に対向して設けられた１次転写ローラ７６１と、１次転写ローラ７６１に近接して配置され中間転写ベルト７１を支持する第１支持ローラ７６２と、からなる。複数のローラ移動機構７６４は、複数のローラ対のそれぞれに対応して設けられ、各ローラ対が、中間転写ベルト７１を対応する感光体ドラム２１側に位置させる転写位置と、中間転写ベルト７１が対応する感光体ドラム２１から離れた退避位置とを取り得るように、各ローラ対を移動させる。【選択図】図１
2008309815.tif 000002
【特許請求の範囲】
【請求項１】
画像形成装置に用いられ、複数の像担持体に担持された画像を用紙に転写するための転写装置であって、
複数の前記像担持体に対向するように設けられ、前記像担持体から画像が転写される転写ベルトと、
前記転写ベルトを一方向に循環させる駆動部材と、
複数の前記像担持体のそれぞれに対応して設けられ、それぞれが、前記転写ベルトを挟んで前記像担持体に対向して設けられた１次転写ローラと、前記１次転写ローラに近接して配置され前記転写ベルトを支持する第１支持ローラと、からなる複数のローラ対と、
前記複数のローラ対のそれぞれに対応して設けられ、前記各ローラ対が、前記転写ベルトを対応する前記像担持体側に位置させる転写位置と、前記転写ベルトが対応する前記像担持体から離れた退避位置とを取り得るように、前記各ローラ対を移動させる複数のローラ移動機構と、
を備えた転写装置。  
【請求項２】
前記１次転写ローラを挟んで前記第１支持ローラとは逆側に配置され、前記転写ベルトを支持する複数の第２支持ローラをさらに備えた、
請求項１記載の転写装置。
【請求項３】
前記各ローラ対が退避位置に移動する際に、対応する前記第２支持ローラを前記像担持体から離れる側に移動させる複数の第２支持ローラ移動機構をさらに備えた、
請求項１又は２に記載の転写装置。
【請求項４】
複数の前記ローラ移動機構のそれぞれは、
一端部に前記第１支持ローラを、中間部に前記１次転写ローラをそれぞれ回転自在に支持するとともに、他端部が回動支点となっている支持部材と、
前記支持部材を回動させるための駆動機構と、
を有している、請求項１から３のいずれかに記載の転写装置。
【請求項５】
複数の前記ローラ移動機構及び複数の前記第２支持ローラ移動機構を、互いに連動して作動させるための連動機構をさらに備えた、請求項３に記載の転写装置。
【請求項６】
画像情報に基づいて静電潜像が形成される像担持体と、
前記像担持体に現像剤を供給する現像装置と、
請求項１から５のいずれかに記載の転写装置と、
を備えた画像形成装置。
【発明の詳細な説明】
【技術分野】
【０００１】
本発明は、転写装置及び画像形成装置、特に、一列に並べられた複数の像担持体に担持される画像を用紙に転写するための転写装置及びその転写装置を備えた画像形成装置に関する。
【背景技術】
【０００２】
画像形成装置は、画像情報に基づいて画像を用紙に形成可能な画像形成部と、画像形成部に用紙を搬送する用紙搬送部と、用紙を収納する用紙収納部と、画像が形成された用紙を排出可能な排出部と、を備えている。この画像形成装置では、用紙収納部から用紙搬送部によって用紙が画像形成部に搬送される。そして、画像情報に基づき用紙に画像が形成され、排出部から外部に画像が形成された用紙が排出される。
【０００３】
この画像形成部では、表面に画像情報に基づいて静電潜像が形成される静電潜像担持体と、静電潜像担持体に現像剤を供給する現像装置と、静電潜像担持体上に形成された画像を用紙に転写するための中間転写ベルトとを備えている。この画像形成部では、静電潜像担持体上に画像情報に基づいて静電潜像が形成され、現像装置から静電潜像担持体に現像剤が供給される。このようにして静電潜像担持体上に現像剤画像が形成された後、中間転写ベルトによって用紙に現像剤画像が転写される。
【０００４】
ここで、画像形成装置には単色の画像に加えてカラー画像を形成可能な装置がある。単色の画像及びカラー画像を形成可能な画像形成装置には、複数の静電潜像担持体を有するものがあり、これを一列に並べて配置しているものがある。このような装置では、複数の静電潜像担持体の下側に中間転写ベルトが配置されており、中間転写ベルトを静電潜像担持体に接触させるために複数の押圧ローラを有している。
【０００５】
ここで、このような画像形成装置には、単色の画像形成時に用いられる１つの押圧ローラ以外の押圧ローラが板状のフレームに取り付けられており、この押圧ローラの両側方に上記静電潜像担持体が並べられた方向に平行になるように中間転写ベルトを支持する支持ローラが配置されているものがある（特許文献１参照）。このような画像形成装置では、カラー画像を形成する際にはすべての押圧ローラによって中間転写ベルトが複数の静電潜像担持体に近接するように支持され、単色の画像形成時には回動支点を中心にフレーム全体を回動させることで１つの押圧ローラのみによって中間転写ベルトが１つの静電潜像担持体に近接するように支持される。
【特許文献１】特開２００５−６２６４２号公報
【発明の開示】
【発明が解決しようとする課題】
【０００６】
特許文献１に記載の画像形成装置では、１つのフレームを回動させることで１つの押圧ローラ以外の押圧ローラを移動させるために、各押圧ローラと回動支点との間の距離が異なっている。このために、フレームの回動作業などによって中間転写ベルトの各静電潜像担持体への押圧力及びニップが変化する可能性があり不安定である。このように、中間転写ベルトの各静電潜像担持体への押圧力及びニップが変化すると、画像の転写の精度が下がり、画質が低下するおそれがある。
【０００７】
本発明の課題は、中間転写ベルトの各静電潜像担持体への押圧力及びニップが静電潜像担持体毎に異なるようになるのを防止することにある。
【課題を解決するための手段】
【０００８】
請求項１に係る転写装置は、画像形成装置に用いられ、複数の像担持体に担持される画像を用紙に転写するための転写装置であって、転写ベルトと、駆動部材と、ローラ対と、ローラ移動機構とを備えている。転写ベルトは、複数の像担持体に対向するように設けられ、像担持体から画像が転写される。駆動部材は、転写ベルトを一方向に循環させる。複数のローラ対は、複数の像担持体のそれぞれに対応して設けられ、それぞれが、転写ベルトを挟んで像担持体に対向して設けられた１次転写ローラと、１次転写ローラに近接して配置され転写ベルトを支持する第１支持ローラと、からなる。複数のローラ移動機構は、複数のローラ対のそれぞれに対応して設けられ、各ローラ対が、転写ベルトを対応する像担持体側に位置させる転写位置と、転写ベルトが対応する像担持体から離れた退避位置とを取り得るように、各ローラ対を移動させる。
【０００９】
この転写装置では、カラー画像を転写する際には、すべてのローラ対がローラ移動機構によって転写位置に位置させられる。この状態で、各像担持体から転写ベルトに画像が転写される。そして、単色の画像を形成する際には、単色画像を担持している像担持体に対応するローラ対以外のローラ対が、対応するローラ移動機構によって退避位置に移動させられる。
【００１０】
ここでは、各像担持体に対応するローラ対の１次転写ローラによって転写ベルトを支持するために、各ローラ対の位置を調整することで転写ベルトの像担持体への押圧力及びニップを調整することができ、像担持体毎に押圧力及びニップが異なるのを防止することができる。また、各ローラ対をそれぞれ独自で移動させることができるために各色の単色画像を形成することができる。
【００１１】
請求項２に係る転写装置は、請求項１に記載の転写装置であって、１次転写ローラを挟んで第１支持ローラとは逆側に配置され、前記転写ベルトを支持する複数の第２支持ローラをさらに備えている。
【００１２】
ここでは、転写ベルトの少なくとも像担持体に接触する部分の近傍を像担持体が並ぶ方向とほぼ平行にすることができ、像担持体から転写ベルトへ画像を転写する際に転写部分、すなわち像担持体と転写ベルトとが接触している部分の近傍の転写ベルトの像担持体への押圧力が変化しにくくなる。このため画像の転写が安定する。
【００１３】
請求項３に係る転写装置は、請求項１または２に記載の転写装置であって、各ローラ対が退避位置に移動する際に、対応する第２支持ローラを像担持体から離れる側に移動させる複数の第２支持ローラ移動機構をさらに備えている。
【００１４】
ここでは、各ローラ対が退避位置に移動する際に、各ローラ対とともに第２支持ローラが像担持体から離れる方向に移動させられる。このために、退避位置に位置しているローラ対近傍の転写ベルトが第２支持ローラによって像担持体に接触するのを防止することができる。
【００１５】
請求項４に係る転写装置は、請求項１から３のいずれかに記載の転写装置であって、複数のローラ移動機構のそれぞれは、一端部に第１支持ローラを、中間部に１次転写ローラをそれぞれ回転自在に支持するとともに、他端部が回動支点となっている支持部材と、支持部材を回動させるための駆動機構とを備えている。
【００１６】
ここでは、駆動機構によって回動支点を中心として支持部材が回動させられることで第１支持ローラおよび１次転写ローラを同時に回動させることができる。
【００１７】
請求項５に係る転写装置は、請求項１から４のいずれかに記載の転写装置であって、複数のローラ移動機構及び複数の第２支持ローラ移動機構を、互いに連動して作動させるための連動機構をさらに備えている。
【００１８】
ここでは、ローラ移動機構および第２支持ローラ移動機構が互いに連動して作動するためにローラ対および第２支持ローラを同時に移動させることができる。
【００１９】
請求項６にかかる画像形成装置は、画像情報に基づいて静電潜像が形成される像担持体と、像担持体に現像剤を供給する現像装置と、請求項１から５のいずれかに記載の転写装置とを備えている。
【発明の効果】
【００２０】
本発明では、中間転写ベルトの各静電潜像担持体への押圧力及びニップが静電潜像担持体毎に異なるようになるのを防止することができる。
【発明を実施するための最良の形態】
【００２１】
１．構成
図１に本発明の一実施形態に係る画像形成装置であるカラープリンタ１を示す。なお、この図１は各構成要素の配置を示すための模式図であり、各部の詳細は省略して示している。なお、図１の矢印は後述する中間転写ベルト７１の循環方向を示している。
【００２２】
このカラープリンタ１は、図示しないコンピュータなどに接続されており、外部のコンピュータなどから送信されてくる画像情報に基づいてカラー画像を用紙に印刷可能な装置である。
【００２３】
このカラープリンタ１は、画像情報に基づいて画像を形成する画像形成部２と、用紙を搬送する用紙搬送部３と、画像形成部２で形成された画像を用紙に定着する定着部４と、用紙を収容する用紙収容部５と、用紙をカラープリンタ１の上部に排出する排出部６と、用紙に画像を転写する転写装置７とを有している。
【００２４】
画像形成部２は、それぞれ異なる色のトナー画像を形成するための４つのトナー画像形成部２ａ，２ｂ，２ｃ，２ｄを有している。４つのトナー画像形成部２ａ〜２ｄは並べて配置されており、図１及び２に示すように、それぞれ、感光体ドラム２１と、現像装置２２と、帯電装置２４と、露光装置２５と、クリーニング装置２６とを有している。ここで、トナー画像形成部２ａはブラックの画像を形成する部分であって、トナー画像形成部２ｂはイエローの画像を形成する部分であり、トナー画像形成部２ｃはシアンの画像を形成する部分であり、トナー画像形成部２ｄはマゼンタの画像を形成する部分である。
【００２５】
感光体ドラム２１は、トナー像が表面に形成される部材であって、回転軸回りに回転可能であって、各感光体ドラム２１の回転軸は図１の紙面に直交する方向に延びている。
【００２６】
現像装置２２は、感光体ドラム２１にトナーを供給するための装置であって、感光体ドラム２１に隣接して配置されている。現像装置２２は、内部に現像剤を収納する現像剤収納スペース２２１が形成されており、現像ローラ２２２を有している。この現像ローラ２２２は、感光体ドラム２１に対向するように配置されており、現像剤収納スペース２２１の現像剤を感光体ドラム２１に供給するための部材である。
【００２７】
帯電装置２４は、感光体ドラム２１の表面を帯電させるための装置であって、感光体ドラム２１の上方に感光体ドラム２１に隣接して配置されている。
【００２８】
露光装置２５は、画像情報に基づいて感光体ドラム２１に光を照射する部分であって、感光体ドラム２１の上方でかつ帯電装置２４と現像装置２２の間に配置されている。
【００２９】
クリーニング装置２６は、感光体ドラム２１に転写されずに残留したトナーをクリーニングするための装置であって、クリーニングローラ２６１と、クリーニングブレード２６２とを備えている。また、クリーニング装置２６は、感光体ドラム２１の側方に感光体ドラム２１に近接して配置されている。クリーニングローラ２６１は、感光体ドラム２１の表面の転写残トナーを装置の内部に除去する部材であって、感光体ドラム２１の回転軸と平行に配置されている。クリーニングブレード２６２は感光体ドラム２１に近接している。このクリーニングブレード２６２は、クリーニングローラ２６１によって除去されなかった残留トナーを、感光体ドラム２１から掻き取り、装置の内部に回収するための部材である。
【００３０】
用紙搬送部３は、用紙収容部５の用紙を画像形成部２、定着部４、排出部６の順に搬送する部分である。
【００３１】
定着部４は、画像形成部２で用紙に形成された画像を定着する部分であって、加圧ローラ４１と加熱ローラ４２とを有している。
【００３２】
用紙収容部５は、様々な種類の用紙を収容可能な複数の給紙カセット５１を有している。また、用紙収容部５はこのカラープリンタ１の下部に配置されている。
【００３３】
排出部６は、表面に画像が定着した用紙をカラープリンタ１の外部に排出するための部分であって、上部に設けられている。
【００３４】
２．転写装置
転写装置７は、感光体ドラム２１上に形成されたトナー画像を用紙に転写するための装置であって、中間転写ベルト７１（転写ベルト）と、駆動ローラ７２（駆動部材）と、テンションローラ７３（張力付与部材）と、対向ローラ７４と、２次転写ローラ７５と、中間転写ベルト支持機構７６と、を備えている。
【００３５】
中間転写ベルト７１は、各トナー画像形成部２ａ〜２ｄの下側に配置された部材であって、各感光体ドラム２１に接触するように配置されている。また、中間転写ベルト７１は、無端のベルトであって、駆動ローラ７２とテンションローラ７３と対向ローラ７４とに掛け渡されている。
【００３６】
駆動ローラ７２は、中間転写ベルト７１を一方向、すなわち図１及び図２の矢印の方向に循環させるためのローラであって、トナー画像形成部２ｄの近傍に配置されている。また、駆動ローラ７２は、図示しないモータが接続されており、このモータによって駆動させられる。ここで、図２の矢印は中間転写ベルト７１の循環方向を示す。
【００３７】
テンションローラ７３は、駆動ローラ７２の動力が中間転写ベルト７１を介して伝達されることで回転させられるローラであって、トナー画像形成部２ａの近傍に配置されている。また、このテンションローラ７３は、スプリング７３ａによって駆動ローラ７２から遠ざかる方向に付勢されており、これにより中間転写ベルト７１に張力を付与している。このために中間転写ベルト７１が張った状態に維持される。なお、具体的には、テンションローラ７３の軸を支持する１対の軸受（図示せず）がフレームに対して移動自在に支持され、この１対の軸受がスプリング７３ａによって前述の方向に付勢されている。
【００３８】
対向ローラ７４は、２次転写ローラ７５とともに中間転写ベルト７１上の画像を用紙に転写するためのローラであって、トナー画像形成部２ｂの下方に配置されている。また、対向ローラ７４は中間転写ベルト７１の内側に配置されている。
【００３９】
２次転写ローラ７５は、中間転写ベルト７１上の画像を用紙に転写するためのローラであって、中間転写ベルト７１を挟んで対向ローラ７４に対向する位置に配置されている。
【００４０】
中間転写ベルト支持機構７６は、中間転写ベルト７１を画像形成が可能な位置で支持するための機構であって、４つの１次転写ローラ７６１と、４つの第１支持ローラ７６２と、４つの第２支持ローラ７６３と、ローラ移動機構７６４（図３参照）と、第２支持ローラ移動機構７６５（図３参照）とを備えている。
【００４１】
複数の１次転写ローラ７６１は、それぞれ中間転写ベルト７１を挟んで各画像形成部２の感光体ドラム２１に対向するように位置することが可能であり、対向位置に位置している状態では中間転写ベルト７１が感光体ドラム２１に接触するように中間転写ベルト７１を支持する。また、１次転写ローラ７６１は感光体ドラム２１よりも径の小さなローラである。
【００４２】
複数の第１支持ローラ７６２は、それぞれ各１次転写ローラ７６１に対応して配置されている。この第１支持ローラ７６２は、１次転写ローラ７６１が対向位置に位置している状態で中間転写ベルト７１に接触し、感光体ドラム２１が並べられた方向と中間転写ベルト７１とが平行になるように中間転写ベルト７１を支持するための部材である。また、第１支持ローラ７６２は、１次転写ローラ７６１よりも径の小さなローラであって、各トナー画像形成部２ａ，２ｂ，２ｃ，２ｄの下方に配置されている。さらに、第１支持ローラ７６２は、１次転写ローラ７６１の中間転写ベルト７１の循環方向後ろ側に配置されている。ここで、１次転写ローラ７６１と第１支持ローラ７６２とによってローラ対が形成されている。
【００４３】
複数の第２支持ローラ７６３は、中間転写ベルト７１の下方に配置され、感光体ドラム２１から中間転写ベルト７１にトナー像が転写される際に、感光体ドラム２１が並べられた方向と平行になるように中間転写ベルト７１を１次転写ローラ７６１及び第１支持ローラ７６２とともに支持している。また、第２支持ローラ７６３は、１次転写ローラ７６１及び第１支持ローラ７６２の中間転写ベルト７１の循環方向前側に配置されている。
【００４４】
ローラ移動機構７６４は、１次転写ローラ７６１及び第１支持ローラ７６２を転写位置と退避位置とを取り得るように移動させるための機構であって、図３に示すように、支持部材７６４ａと、回動軸７６４ｂと、第１ギア７６４ｃと、第２ギア７６４ｄとを有している。ここで、転写位置とは感光体ドラム２１上の画像を中間転写ベルト７１に転写可能な状態で支持する位置であって、最も感光体ドラム２１に近接している位置である。また、退避位置とは感光体ドラム２１および中間転写ベルト７１から最も離れた位置である。
【００４５】
支持部材７６４ａは、略三角形状、具体的には略直角三角形状であり、頂点がそれぞれ滑らかな曲線状になっている。また、支持部材７６４ａは、１つの頂点の近傍で１次転写ローラ７６１を回転自在に支持可能であり、他の頂点で第１支持ローラ７６２を回転自在に支持可能である。
【００４６】
回動軸７６４ｂは、支持部材７６４ａの１次転写ローラ７６１を支持している頂点及び第１支持ローラ７６２を支持している頂点以外の頂点に回転自在に支持されており、各感光体ドラム２１の下方に配置されている。また、回動軸７６４ｂはその一部にギア歯が形成されており、図３において反時計回り（矢印の方向）に回転可能である。
【００４７】
第１ギア７６４ｃは回動軸７６４ｂのギア歯に噛み合うギアであり、第２ギア７６４ｄは第１ギア７６４ｃに噛み合うギアである。第２ギア７６４ｄは図示しないモータによって回転させられる。ここで、第２ギア７６４ｄと第１ギア７６４ｃと回動軸７６４ｂとによって、支持部材７６４ａを回動させるための駆動機構が構成されている。
【００４８】
第２支持ローラ移動機構７６５は、各ローラ対が退避位置に移動する際に、対応する第２支持ローラ７６３を感光体ドラム２１から離れる側に移動させる機構であって、第３ギア７６５ａと、ラック７６５ｂとを有している。
【００４９】
第３ギア７６５ａは、第２ギア７６４ｄに噛み合うギアであり、第２ギア７６４ｄの回転に伴って図３における時計回りに回転する。
【００５０】
ラック７６５ｂは、第３ギア７６５ａのギア歯と噛合可能であり、上側端部には第１支持ローラ７６２が回転自在に取り付けられている。また、ラック７６５ｂは、第３ギア７６５ａの回転に伴って上下動する部材である。ここで、図３の矢印は各ギアの回転方向を示す。
【００５１】
ここで、第２ギア７６４ｄと第３ギア７６５ａとによって連動機構が構成されている。すなわち、第２ギア７６４ｄに第３ギア７６５ａが噛合しており、第２ギア７６４ｄの回転によってローラ移動機構７６４および第２支持ローラ移動機構７６５が互いに連動して作動する。
【００５２】
３．動作
カラー画像の形成動作について説明する。
【００５３】
外部のコンピュータ等から画像情報が送信されると、画像情報に基づいて感光体ドラム２１上に静電潜像が形成される。具体的には、感光体ドラム２１の表面が帯電装置２４によって帯電させられ、画像情報に基づいて露光装置２５によって光が照射されることで静電潜像が感光体ドラム２１上に形成される。感光体ドラム２１上に静電潜像が形成されると、現像装置２２から現像剤が感光体ドラム２１上に供給される。
【００５４】
このとき、図１に示すように、各１次転写ローラ７６１は感光体ドラム２１に対向する位置に位置しており、第１支持ローラ７６２が中間転写ベルト７１の循環方向後ろ側を支持している。このために、中間転写ベルト７１の第１支持ローラ７６２と１次転写ローラ７６１とによって掛け渡されている部分は感光体ドラム２１が並べられた方向と平行になっている。そして、第２支持ローラ７６３がほぼ第１支持ローラ７６２と同じ高さ位置であってかつ中間転写ベルト７１の循環方向前側に配置されている。このために中間転写ベルト７１の第１支持ローラ７６２から１次転写ローラ７６１までの部分が感光体ドラム２１の並べられた方向に平行になっている。
【００５５】
この状態で、感光体ドラム２１から中間転写ベルト７１にトナー画像が転写され、中間転写ベルト７１の循環に伴って対向ローラ７４と２次転写ローラ７５とが対向する位置までトナー画像が搬送される。このとき、対向ローラ７４と２次転写ローラ７５との間に用紙収容部５の用紙が用紙搬送部３によって搬送される。
【００５６】
そして、中間転写ベルト７１上のトナー画像が対向ローラ７４及び２次転写ローラ７５によって用紙に転写され、この用紙は用紙搬送部３によって定着部４に搬送される。定着部４でトナー画像が用紙に定着され、排出部６から用紙が排出される。
【００５７】
次に単色の画像、ここではブラックの画像を形成する動作について説明する。
【００５８】
カラー画像の形成動作時と同様に、外部のコンピュータ等から画像情報が送信され、画像情報に基づいてトナー画像形成装部２ｄの感光体ドラム２１上に静電潜像が形成される。感光体ドラム２１上に静電潜像が形成されると、現像装置２２から現像剤が感光体ドラム２１上に供給されトナー画像が形成される。
【００５９】
このとき、トナー画像形成部２ａ，２ｂ，２ｃに対応するローラ移動機構７６４によって、１次転写ローラ７６１及び第１支持ローラ７６２と第２支持ローラ７６３とが移動させられている。具体的には、第２ギア７６４ｄが図示しないモータによって図３における反時計回りに回転させられ、第２ギア７６４ｄの回転に伴って第１ギア７６４ｃ及び第３ギア７６５ａが回転させられる。第１ギア７６４ｃが回転すると、回動軸７６４ｂが回転させられ、図２のように１次転写ローラ７６１が感光体ドラム２１から離れるように移動し、第１支持ローラ７６２が中間転写ベルト７１から離れる。一方、第３ギア７６５ａの回転に伴ってラック７６５ｂが下方に移動させられ、第２支持ローラ７６３が中間転写ベルト７１に接触しない位置まで移動する。
【００６０】
その後、カラー画像形成動作と同様に、トナー画像形成部２ｄの感光体ドラム２１から中間転写ベルト７１にトナー画像が転写され、中間転写ベルト７１の循環に伴って対向ローラ７４と２次転写ローラ７５とが対向する位置までトナー画像が搬送される。このとき、対向ローラ７４と２次転写ローラ７５との間に用紙収容部５の用紙が用紙搬送部３によって搬送される。
【００６１】
そして、中間転写ベルト７１上のトナー画像が対向ローラ７４及び２次転写ローラ７５によって用紙に転写され、この用紙は用紙搬送部３によって定着部４に搬送される。定着部４でトナー画像が用紙に定着され、排出部６から用紙が排出される。
【００６２】
ここでは、各感光体ドラム２１に対応する中間転写ベルト支持機構７６によって中間転写ベルト７１を感光体ドラム２１の近傍で支持するために、感光体ドラム２１毎に押圧力及びニップが異なるのを防止することができる。また、１次転写ローラ７６１とともに第１支持ローラ７６２及び第２支持ローラ７６３が中間転写ベルト７１を支持するために、少なくとも中間転写ベルト７１の感光体ドラム２１に接触する部分の近傍が感光体ドラム２１が並べられた方向に対して平行になり、感光体ドラム２１上の画像を中間転写ベルト７１に転写しやすくなる。
【００６３】
４．他の実施形態
（ａ）上記実施形態では、ローラ移動機構７６４として、支持部材７６４ａと、回動軸７６４ｂと、第１ギア７６４ｃと、第２ギア７６４ｄと、第３ギア７６５ａと、ラック７６５ｂとを有する構成を説明したが、本発明はこれに限らずに、例えば回動軸７６４ｂにモータを取り付け、回動軸７６４ｂを回動させ、ソレノイドによってバックアップローラを移動させるようにしても良い。
【００６４】
（ｂ）また上記実施形態では、カラープリンタ１について説明したが、本発明はこれに限らずに、複写機や複合機などであっても良い。
【００６５】
（ｃ）上記実施形態では、単色画像としてブラックの場合について説明したが、本発明はこれに限らずに、イエロー、シアン、マゼンタのいずれか一つであっても良い。
【図面の簡単な説明】
【００６６】
【図１】カラー画像を形成する際のカラープリンタ１の全体概略図。
【図２】単色画像を形成する際のカラープリンタ１の全体概略図。
【図３】ローラ移動機構を示す図。
【符号の説明】
【００６７】
１  カラープリンタ
７  転写装置
２１  感光体ドラム（像担持体）
２２  現像装置
７１  中間転写ベルト（転写ベルト）
７２  駆動ローラ（駆動部材）
７３  テンションローラ（張力付与部材）
７６  中間転写ベルト押圧機構（押圧機構）
７６１  １次転写ローラ
７６２  第１支持ローラ
７６３  第２支持ローラ
７６４  ローラ移動機構
７６４ａ  板状部
７６４ｂ  回動軸
７６５  第２支持ローラ移動機構
【図１】
2008309815.tif 000003
【図２】
2008309815.tif 000004
【図３】
2008309815.tif 000005